(57)【要約】【課題】外力によるクランパーの浮きを防止してディスクを確実に保持するディスククランプ機構を備えたディスク装置を提供する。【解決手段】ディスクＭのクランプを解除する場合、クランプ解除部材１３が矢印Ｃ方向に前進し、そのクランク部１５の前端面１５ａがロック部材１０の係合爪１０ａと軸１１との間を押圧すると、ロック部材１０は矢印Ａ’方向に回動し、ロックが解除される。クランプ解除部材１３がさらに前進すると、クランパーアーム３の突起部３ａにクランプ解除部材１３の摺接面１３ｂが摺接する。クランパーアーム３が回動すると、ディスクＭのクランプ状態は解除される。【選択図】　　　　図１
2004086933.tif 000002
【特許請求の範囲】
【請求項１】
ディスクを回転駆動するターンテーブルと、該ターンテーブルを回転可能に支持するベース部材と、前記ターンテーブル上に載置されたディスクを前記ターンテーブルとの間に挟んで保持するクランパーと、該クランパーを揺動可能に支持しかつ前記ベース部材上に回動可能に支持されたクランパーアームと、前記クランパーが前記ターンテーブル側に押圧されるように前記クランパーアームを付勢する付勢部材と、該付勢部材の付勢力に抗してクランパーアームを回動させるクランプ解除部材と、前記付勢部材の付勢力により前記クランパーアームが回動して前記クランパーと前記ターンテーブルとの間に前記ディスクが保持されている状態で前記クランパーアームと前記ベース部材とをロックするロック部材と、該ロック部材によるロックを解除するロック解除部材とを備えたディスク装置。
【請求項２】
クランプ解除部材はロック部材によるロックを解除する機能を兼ね備えたことを特徴とする請求項１記載のディスク装置。
【請求項３】
ロック部材は、ロック解除部材によりロック解除された直後に、付勢部材の付勢力に抗してクランパーアームを回動させるクランプ解除部を備えたことを特徴とする請求項１記載のディスク装置。
【発明の詳細な説明】
【０００１】
【発明の属する技術分野】
この発明は、ターンテーブルとクランパーとの間にディスクを挟み込み、これを押圧、保持するディスククランプ機構を備えたディスク装置に関するものである。
【０００２】
【従来の技術】
図１０および図１１は従来のディスク装置におけるディスククランプ機構の構成を示す部分断面図であって、図１０はクランプ時、図１１は非クランプ時を示すものである。図１２は図１０および図１１に示したディスククランプ機構のクランプ解除部材の構成を示す平面図である。なお、いずれの図面においても左側を前方とし、同右側を後方とする。
【０００３】
図において１はＣＤ（コンパクトディスク）等の光ディスク（以下、ディスクという）Ｍの再生を行うディスク再生部としての光ピックアップ（図示せず）を摺動可能に支持するベース部材である。ベース部材１は衝撃吸収体（図示せず）を介してシャーシ（図示せず）に固定されており、その前端部にはディスクＭを載置しかつ回転駆動アクチュエータ（図示せず）からの回転力を受けてディスクＭを回転駆動するターンテーブル２が配設されている。ベース部材１の後部に位置する軸１ａには矢印Ａ方向およびＢ方向にそれぞれ回動可能なクランパーアーム３が軸支されており、コイルばね４により常に矢印Ａ方向に付勢されている。クランパーアーム３の前端部下側にはディスクＭをターンテーブル２との間を挟むクランパー５が揺動可能に支持されている。
【０００４】
また、クランパーアーム３の後部下側であってベース部材１の下側には突起部３ａが形成されており、この突起部３ａには図１２に示すように板状のクランプ解除部材６の上面に設けられた摺接面６ａが摺接可能である。クランプ解除部材６は、アクチュエータ（図示せず）の駆動力を受けて矢印Ｃ方向またはＤ方向に往復移動可能な部材である。
【０００５】
次に動作について説明する。
まず、ディスクＭの再生時においては、図１０に示すように、コイルばね４の弾性力によりクランパーアーム３は矢印Ａ方向に回動し、クランパー５によりターンテーブル２上のディスクＭは押圧され保持される（クランプ状態）。このとき、クランプ解除部材６はクランパーアーム３の突起部３ａの後方に位置しており、突起部３ａには当接していない。
【０００６】
次に、ディスクＭの保持を解除する場合には、図１１に示すように、クランプ解除部材６がアクチュエータ（図示せず）の駆動力により矢印Ｃ方向に前進してクランパーアーム３の突起部３ａにクランプ解除部材６の摺接面６ａが摺接し、擦るようにしてクランパーアーム３を矢印Ｂ方向に回動させる。これにより、クランパー５がターンテーブル２から離れるためディスクＭのクランプが解除される（非クランプ状態）。
【０００７】
【発明が解決しようとする課題】
しかし、従来のディスク装置は上述のような構成を有しているので、ディスク装置自体が受ける外部振動や衝撃によりクランパーアーム３等の可動部材がコイルばね４の弾性力を上回る外力を受けると、ターンテーブル２からクランパー５が浮き上がってしまう可能性がある。このため、ディスクＭを確実に駆動、再生できず、場合によってはディスクＭがターンテーブル２から脱落してしまうおそれがあるという課題があった。なお、ディスクの脱落を防止するために、クランパーとターンテーブルとをロックする特開昭６３−１４０４４８号公報が知られている。
【０００８】
この発明は上記のような課題を解決するためになされたもので、外力によるクランパーの浮き上がりを防止して、クランパーの浮き上がりから生じるディスクの浮きや脱落の発生を回避し、ディスクを確実に保持するディスククランプ機構を備えたディスク装置を得ることを目的とする。
【０００９】
【課題を解決するための手段】
この発明に係るディスク装置は、ディスクを回転駆動するターンテーブルと、該ターンテーブルを回転可能に支持するベース部材と、前記ターンテーブル上に載置されたディスクを前記ターンテーブルとの間に挟んで保持するクランパーと、該クランパーを揺動可能に支持しかつ前記ベース部材上に回動可能に支持されたクランパーアームと、前記クランパーが前記ターンテーブル側に押圧されるように前記クランパーアームを付勢する付勢部材と、該付勢部材の付勢力に抗してクランパーアームを回動させるクランプ解除部材と、前記付勢部材の付勢力により前記クランパーアームが回動して前記クランパーと前記ターンテーブルとの間に前記ディスクが保持されている状態で前記クランパーアームと前記ベース部材とをロックするロック部材と、該ロック部材によるロックを解除するロック解除部材とを備えたものである。
【００１０】
この発明に係るディスク装置は、クランプ解除部材にロック部材によるロックを解除する機能を兼ね備えたものである。
【００１１】
この発明に係るディスク装置は、ロック部材に、ロック解除部材によりロック解除された直後に、付勢部材の付勢力に抗してクランパーアームを回動させるクランプ解除部を備えたものである。
【００１２】
【発明の実施の形態】
以下、この発明の実施の一形態を説明する。
実施の形態１．
図１はこの発明の実施の形態１によるディスク装置のクランプ時におけるディスククランプ機構の構成を示す部分断面図であり、図２は図１に示したディスククランプ機構の非クランプ時での構成を示す部分断面図であり、図３は図１および図２に示したディスク装置のロック解除部材の構成を示す平面図である。なお、いずれの図面においても左側を前方とし、同右側を後方とする。
【００１３】
この実施の形態１の特徴は、図１に示すように、クランプ状態においてクランパーアーム３の回動を規制するロック部材１０を設けた点にある。ロック部材１０の上端部にはクランパーアーム３の凹部３ｂに係合可能な係合爪１０ａが設けられており、軸１１を中心として回動可能である。また、ロック部材１０の下端部とベース部材１との間にはロック部材１０を矢印Ｂ’方向に回動させるようにロック部材１０の下端部を常に付勢するスプリング１２が配設されている。
【００１４】
この実施の形態１では、上記ロック部材１０によるクランパーアーム３の回動規制（以下、ロックという）を解除するロック解除機能を備えたクランプ解除部材１３が矢印Ｃ方向またはＤ方向に沿って往復移動可能に配設されている。即ち、クランプ解除部材１３の前部は図３に示すように右半分が切り欠かれており、図１および図２に示すように、左半分の細い部分がクランプ解除部材１３の往復移動面（以下、スライド面という）１４から直交する方向に立ち上がってからスライド面１４に平行に延在するクランク部１５が設けられている。なお、スライド面１４はクランプ解除部材１３の摺接面１３ｂがクランパーアーム３の突起部３ａに摺接可能となる高さに設定されている。クランク部１５の前端面１５ａはクランプ解除部材１３の矢印Ｃ方向への移動に際し、ロック部材１０の係合爪１０ａと軸１１との間に当接してロック部材１０によるロック解除が可能である。クランプ解除部材１３の上面には、その前部切欠部分１３ａよりも後方に位置する部分に、クランパーアーム３の突起部３ａに摺接する摺接面１３ｂが設けられている。
【００１５】
次に動作について説明する。
まず、ディスクＭをターンテーブル２とクランパー５との間にクランプして再生する場合には、図１に示すように、コイルばね４の弾性力によりクランパーアーム３は矢印Ａ方向に回動し、クランパー５によりターンテーブル２上のディスクＭは押圧され保持される（クランプ状態）。このとき、ロック部材１０はスプリング１２の付勢力により矢印Ｂ’方向に回動し、ロック部材１０の係合爪１０ａがクランパーアーム３の凹部３ｂに係合するため、ベース部材１に対するクランパーアーム３の回動が規制される（ロック状態）。これにより、ディスク装置自体が受ける外部振動や衝撃によりクランパーアーム３がコイルばね４の弾性力を上回る外力を受けても、ロック部材１０によりベース部材１からのクランパーアーム３の浮き上がりおよびターンテーブル２からのディスクＭの脱落を確実に防止することができる。なお、このロック部材１０によるロック状態において、クランプ解除部材１３はクランパーアーム３の突起部３ａの後方に位置している。
【００１６】
次に、ディスクＭのクランプを解除する場合には、図２に示すように、アクチュエータ（図示せず）の駆動力を受けてクランプ解除部材１３が矢印Ｃ方向に前進し、そのクランク部１５の前端面１５ａがロック部材１０の係合爪１０ａと軸１１との間を押圧することで、スプリング１２の付勢力に抗してロック部材１０を矢印Ａ’方向に回動させる。これにより、ロック部材１０の係合爪１０ａとクランパーアーム３の凹部３ｂとの係合が解除される（ロック解除状態）。この時点では、まだクランパーアーム３はコイルばね４の付勢力を受けてクランパー５に対しディスク保持力を与えているため、ディスクＭのクランプ状態は保持されている。次に、クランプ解除部材１３がさらに矢印Ｃ方向に前進すると、クランプ解除部材１３の前部切欠部分１３ａに入り込んだクランパーアーム３の突起部３ａにクランプ解除部材１３の摺接面１３ｂが矢印Ｃ方向に沿って摺接する。これにより、クランパーアーム３はコイルばね４の付勢力に抗して矢印Ｂ方向に回動し、クランパー５はターンテーブル２上から離れ、ディスクＭのクランプ状態は解除される（非クランプ状態）。なお、非クランプ、即ちクランプ解除は、例えばディスクＭのディスク装置内への挿入動作に連動するロック解除後に、待受け動作として行われる。
【００１７】
以上のように、この実施の形態１によれば、ディスクＭが保持されている状態でクランパーアーム３とベース部材１とをロックするロック部材１０を設けるように構成したので、ディスク装置自体が受ける外部振動や衝撃によりクランパーアーム３がコイルばね４の弾性力を上回る外力を受けても、ロック部材１０によりベース部材１からのクランパーアーム３の浮き上がりを確実に防止することができる。これにより、ディスク装置によるディスクＭの駆動、再生を保証すると共に、ディスクＭの脱落による機能不全の発生を確実に防止することができるという効果がある。
【００１８】
この実施の形態１によれば、ロック解除機能をクランプ解除部材１３に持たせるように構成したので、クランプ解除動作に先だってロック解除動作を速やかに行うことができると共に、ロック解除部材を別途設ける場合に発生する部品点数の増加を回避することができるという効果がある。
【００１９】
実施の形態２．
図４はこの発明の実施の形態２によるディスク装置のクランプ時におけるディスククランプ機構の構成を示す部分断面図であり、図５は図４に示したディスククランプ機構の非クランプ時での構成を示す部分断面図であり、図６は図４および図５に示したディスク装置のロック解除部材の構成を示す平面図である。なお、この実施の形態２によるディスク装置の構成要素のうち、実施の形態１のディスク装置の構成要素と共通するものについては同一符号を付し、その部分の説明を省略する。また、いずれの図面においても左側を前方とし、同右側を後方とする。
【００２０】
この実施の形態２の特徴は、ロック部材１０にクランプ解除機能を備えた点にある。即ち、ロック部材１０には、係合爪１０ａとは軸１１を挟んだ反対側の下部にクランパーアーム３の突起部３ａの後部に当接可能なレバー部１０ｂがクランプ解除部として突設されている。また、この実施の形態２では、実施の形態１のクランプ解除部材１３と異なり、クランプ解除機能を持たない代わりに、ロック部材１０によるロックを解除するロック解除部材１６がアクチュエータ（図示せず）の駆動力を受けてスライド面１７に沿って矢印Ｃ方向またはＤ方向に往復移動可能に配設されている。ロック解除部材１６は、図６に示すように、図１２に示した従来のクランプ解除部材６と同様に板形状をなしているが、クランパーアーム３との接触を避けるために従来のクランプ解除部材６よりも幅が狭くなるように構成されている。なお、スライド面１７は、実施の形態１におけるスライド面１４がクランパーアーム３の突起部３ａとクランプ解除部材１３の摺接面１３ｂとの摺接可能高さに設定されていたのに対し、ロック解除部材１６が上記突起部３ａへの摺接を想定されていないため、その摺接可能高さに設定される必要はない。
【００２１】
次に動作について説明する。
まず、実施の形態１と同様に、ディスクＭをターンテーブル２とクランパー５との間にクランプして再生する場合には、図４に示すように、コイルばね４の弾性力によりクランパーアーム３は矢印Ａ方向に回動し、クランパー５によりターンテーブル２上のディスクＭは押圧され保持される（クランプ状態）。このとき、ロック部材１０はスプリング１２の付勢力により矢印Ｂ’方向に回動し、ロック部材１０の係合爪１０ａがクランパーアーム３の凹部３ｂに係合するため、ベース部材１に対するクランパーアーム３の回動が規制される（ロック状態）。これにより、ディスク装置自体が受ける外部振動や衝撃によりクランパーアーム３がコイルばね４の弾性力を上回る外力を受けても、ロック部材１０によりベース部材１からのクランパーアーム３の浮き上がりおよびターンテーブル２からのディスクＭの脱落を確実に防止することができる。なお、このロック部材１０によるロック状態において、ロック解除部材１６はクランパーアーム３の突起部３ａの後方に位置している。
【００２２】
次に、ディスクＭのクランプを解除する場合には、図５に示すように、アクチュエータ（図示せず）の駆動力を受けてロック解除部材１６が矢印Ｃ方向に前進し、その前端部１６ａがロック部材１０の係合爪１０ａと軸１１との間を押圧することで、スプリング１２の付勢力に抗してロック部材１０を矢印Ａ’方向に回動させる。これにより、ロック部材１０の係合爪１０ａとクランパーアーム３の凹部３ｂとの係合が解除される（ロック解除状態）。この時点では、まだクランパーアーム３はコイルばね４の付勢力を受けてクランパー５に対しディスク保持力を与えているため、ディスクＭのクランプ状態は保持されている。次に、ロック解除部材１６がさらに矢印Ｃ方向に前進すると、ロック部材１０がさらに矢印Ａ’方向に回動する。このとき、ロック部材１０のレバー部１０ｂがクランパーアーム３の突起部３ａの後部を押圧するため、クランパーアーム３はコイルばね４の付勢力に抗して矢印Ｂ方向に回動し、クランパー５はターンテーブル２上から離れ、ディスクＭのクランプ状態は解除される（クランプ解除状態）。
【００２３】
以上のように、この実施の形態２によれば、ディスクＭが保持されている状態でクランパーアーム３とベース部材１とをロックするロック部材１０を設けるように構成したので、ディスク装置自体が受ける外部振動や衝撃によりクランパーアーム３がコイルばね４の弾性力を上回る外力を受けても、ロック部材１０によりベース部材１からのクランパーアーム３の浮き上がりを確実に防止することができる。これにより、ディスク装置によるディスクＭの駆動、再生を保証すると共に、ディスクＭの脱落による機能不全の発生を確実に防止することができるという効果がある。
【００２４】
この実施の形態２によれば、ロック部材１０にクランプ解除機能を有するレバー部１０ｂを設けるように構成したので、ロック解除の直後に、ロック部材１０の回動動作を利用してクランプ解除動作を速やかに行うことができると共に、ロック解除部材を別途設ける場合に発生する部品点数の増加を回避することができるという効果がある。
【００２５】
実施の形態３．
図７はこの発明の実施の形態３によるディスク装置のクランプ時におけるディスククランプ機構の構成を示す部分断面図であり、図８は図７に示したディスククランプ機構の非クランプ時での構成を示す部分断面図であり、図９は図７および図８に示したディスクク装置のロック解除部材の構成を示す平面図である。なお、この実施の形態３によるディスク装置の構成要素のうち、実施の形態１等によるディスク装置の構成要素と共通するものについては同一符号を付し、その部分の説明を省略する。また、いずれの図面においても左側を前方とし、同右側を後方とする。
【００２６】
この実施の形態３の特徴は、ロック部材１０によるロック動作およびロック解除動作が回動であった実施の形態１または実施の形態２と異なり、ロック部材１０を矢印Ｃ方向またはＤ方向に往復移動、即ちスライド可能に構成した点にある。即ち、ベース部材１には、クランパーアーム３の後方であってコイルばね４の下側から垂下する固定部１８が設けられている。ロック部材１０の下部とベース部材１の固定部１８との間には常に矢印Ｄ方向にロック部材１０を付勢するスプリング１２が配設されている。この実施の形態３では、実施の形態１と同様に、ロック解除機能を備えたクランプ解除部材１９がアクチュエータ（図示せず）の駆動力を受けてスライド面１４に沿って矢印Ｃ方向またはＤ方向に往復移動可能に配設されている。クランプ解除部材１９の前部１９ａはロック部材１０を矢印Ｃ方向に押圧してロック部材１０をスライドさせることでロック部材１０によるロックを解除する機能を有しており、前部１９ａの右半分が図９に示すように切り欠かれて形成されており、その前部切欠部分１９ｂよりも後方に位置する部分には、クランパーアーム３の突起部３ａに摺接してクランプ解除機能を発揮する摺接面１９ｃが設けられている。
【００２７】
次に動作について説明する。
まず、ディスクＭをターンテーブル２とクランパー５との間にクランプして再生する場合には、図７に示すように、コイルばね４の弾性力によりクランパーアーム３は矢印Ａ方向に回動し、クランパー５によりターンテーブル２上のディスクＭは押圧され保持される（クランプ状態）。このとき、ロック部材１０はスプリング１２により矢印Ｄ方向に付勢されてロック部材１０の係合爪１０ａがクランパーアーム３の凹部３ｂに係合するため、ベース部材１に対するクランパーアーム３の回動が規制される（ロック状態）。これにより、ディスク装置自体が受ける外部振動や衝撃によりクランパーアーム３がコイルばね４の弾性力を上回る外力を受けても、ロック部材１０によりベース部材１からのクランパーアーム３の浮き上がりおよびターンテーブル２からのディスクＭの脱落を確実に防止することができる。なお、このロック部材１０によるロック状態において、クランプ解除部材１９はクランパーアーム３の突起部３ａの後方に位置している。
【００２８】
次に、ディスクＭのクランプを解除する場合には、図８に示すように、アクチュエータ（図示せず）の駆動力を受けてクランプ解除部材１９が矢印Ｃ方向に前進し、その前部１９ａがロック部材１０を矢印Ｃ方向に押圧することで、スプリング１２の付勢力に抗してロック部材１０をスライドさせる。これにより、ロック部材１０の係合爪１０ａとクランパーアーム３の凹部３ｂとの係合が解除される（ロック解除状態）。この時点では、まだクランパーアーム３はコイルばね４の付勢力を受けてクランパー５に対しディスク保持力を与えているため、ディスクＭのクランプ状態は保持されている。次に、クランプ解除部材１９がさらに矢印Ｃ方向に前進すると、クランプ解除部材１９の前部切欠部分１９ｂに入り込んだクランパーアーム３の突起部３ａにクランプ解除部材１９の摺接面１９ｃが矢印Ｃ方向に沿って摺接する。これにより、クランパーアーム３はコイルばね４の付勢力に抗して矢印Ｂ方向に回動し、クランパー５はターンテーブル２上から離れ、ディスクＭのクランプ状態は解除される（クランプ解除状態）。
【００２９】
以上のように、この実施の形態３によれば、ディスクＭが保持されている状態でクランパーアーム３とベース部材１とをロックするロック部材１０を設けるように構成したので、ディスク装置自体が受ける外部振動や衝撃によりクランパーアーム３がコイルばね４の弾性力を上回る外力を受けても、ロック部材１０によりベース部材１からのクランパーアーム３の浮き上がりを確実に防止することができる。これにより、ディスク装置によるディスクＭの駆動、再生を保証すると共に、ディスクＭの脱落による機能不全の発生を確実に防止することができるという効果がある。なお、この実施の形態３では、クランプ解除部材１９の摺接面１９ｃに代えてクランプ解除部をロック部材１０に設けてもよい。この場合、ロック解除の直後に、ロック部材１０のスライド動作を利用してクランプ解除動作を速やかに行うことができると共に、ロック解除部材を別途設ける場合に発生する部品点数の増加を回避することができるという効果がある。
【００３０】
実施の形態４．
実施の形態１から実施の形態３においては、ロック部材１０を、スプリング１２の弾性力を受けて回動またはスライド移動できる構成としたが、ロック部材をカム機構の駆動力を受けて回動またはスライド移動できる構成としてもよい。
【００３１】
実施の形態５．
実施の形態１から実施の形態３においては、クランパーアーム３をベース部材１側からロック部材１０でロックするように構成したが、逆に、ベース部材１をクランパーアーム３側からロック部材でロックするように構成してもよい。
【００３２】
【発明の効果】
以上のように、この発明によれば、ディスクを回転駆動するターンテーブルと、該ターンテーブルを回転可能に支持するベース部材と、前記ターンテーブル上に載置されたディスクを前記ターンテーブルとの間に挟んで保持するクランパーと、該クランパーを揺動可能に支持しかつ前記ベース部材上に回動可能に支持されたクランパーアームと、該クランパーアームにより支持された前記クランパーが前記ターンテーブル側に押圧されるように前記クランパーアームを付勢する付勢部材と、該付勢部材の付勢力に抗してクランパーアームを回動させるクランプ解除部材と、前記付勢部材の付勢力により前記クランパーアームが回動して前記クランパーと前記ターンテーブルとの間に前記ディスクが保持されている状態で前記クランパーアームと前記ベース部材とをロックするロック部材と、該ロック部材によるロックを解除するロック解除部材とを備えるように構成したので、ディスク装置自体が受ける外部振動や衝撃によりクランパーアームが付勢部材の弾性力を上回る外力を受けても、ロック部材によりベース部材からのクランパーアームの浮き上がりを確実に防止することができる。これにより、ディスク装置によるディスクの駆動、再生を保証すると共に、ディスクの脱落による機能不全の発生を確実に防止することができるという効果がある。
【００３３】
この発明によれば、クランプ解除部材にロック部材によるロックを解除する機能を兼ね備えるように構成したので、クランプ解除動作に先だってロック解除動作を速やかに行うことができると共に、ロック解除部材を別途設ける場合に発生する部品点数の増加を回避することができるという効果がある。
【００３４】
この発明によれば、ロック部材に、ロック解除部材によりロック解除された直後に、付勢部材の付勢力に抗してクランパーアームを回動させるクランプ解除部を備えるように構成したので、ロック解除の直後に、ロック部材の動作を利用してクランプ解除動作を速やかに行うことができると共に、ロック解除部材を別途設ける場合に発生する部品点数の増加を回避することができるという効果がある。
【図面の簡単な説明】
【図１】この発明の実施の形態１によるディスク装置のクランプ時におけるディスククランプ機構の構成を示す部分断面図である。
【図２】図１に示したディスククランプ機構の非クランプ時での構成を示す部分断面図である。
【図３】図１および図２に示したディスク装置のロック解除部材の構成を示す平面図である。
【図４】この発明の実施の形態２によるディスク装置のクランプ時におけるディスククランプ機構の構成を示す部分断面図である。
【図５】図４に示したディスククランプ機構の非クランプ時での構成を示す部分断面図である。
【図６】図４および図５に示したディスク装置のロック解除部材の構成を示す平面図である。
【図７】この発明の実施の形態３によるディスク装置のクランプ時におけるディスククランプ機構の構成を示す部分断面図である。
【図８】図７に示したディスククランプ機構の非クランプ時での構成を示す部分断面図である。
【図９】図７および図８に示したディスク装置のロック解除部材の構成を示す平面図である。
【図１０】従来のディスク装置のクランプ時におけるディスククランプ機構の構成を示す部分断面図である。
【図１１】図１０に示したディスククランプ機構の非クランプ時での構成を示す部分断面図である。
【図１２】図１０および図１１に示したディスククランプ機構のクランプ解除部材の構成を示す平面図である。
【符号の説明】
１　ベース部材、１ａ　軸、２　ターンテーブル、３　クランパーアーム、３ａ　突起部、４　コイルばね（付勢部材）、５　クランパー、６　クランプ解除部材、６ａ　摺接面、１０　ロック部材、１０ａ　係合爪、１１　軸、１２　スプリング、１３　クランプ解除部材（ロック解除機能を備えたクランプ解除部材）、１３ａ　前部切欠部分、１３ｂ　摺接面、１４　スライド面、１５　クランク部、１５ａ　前端面、１６　ロック解除部材、１７　スライド面、１８　固定部（クランプ解除部）、１９　クランプ解除部材（ロック解除機能を備えたクランプ解除部材）、１９ａ　前部、１９ｂ　前部切欠部分、１９ｃ　摺接面、Ｍ　ディスク。
【図１】
2004086933.tif 000003
【図２】
2004086933.tif 000004
【図３】
2004086933.tif 000005
【図４】
2004086933.tif 000006
【図５】
2004086933.tif 000007
【図６】
2004086933.tif 000008
【図７】
2004086933.tif 000009
【図８】
2004086933.tif 000010
【図９】
2004086933.tif 000011
【図１０】
2004086933.tif 000012
【図１１】
2004086933.tif 000013
【図１２】
2004086933.tif 000014